(57)【要約】【課題】低コストで効率よくフロントガラスの曇りを解消することができる車両用防曇装置を提供する。【解決手段】車室内の空調を行うための空調ユニットと、空調ユニットの動作を制御する空調制御部と、を備え、空調ユニットは、車両のインストルメントパネルに、車両のフロントガラスに沿って配置され、フロントガラスの内面に向けて空調風を吹き出すデフロスタ吹出口を含み、デフロスタ吹出口には、風向を変えるためのブレードと、空調制御部により、ブレードを揺動させて風向を変化させる駆動機構と、を含むスイングレジスタが配置される。【選択図】図１
2014069770.tif 000002
【特許請求の範囲】
【請求項１】
車室内の空調を行うための空調ユニットと、
前記空調ユニットの動作を制御する空調制御部と、
を備え、
前記空調ユニットは、車両のインストルメントパネルに、前記車両のフロントガラスに沿って配置され、前記フロントガラスの内面に向けて空調風を吹き出すデフロスタ吹出口を含み、
前記デフロスタ吹出口には、風向を変えるためのブレードと、前記空調制御部により、前記ブレードを揺動させて風向を変化させる駆動機構と、を含むスイングレジスタが配置されたことを特徴とする車両用防曇装置。
【請求項２】
前記空調制御部は、
予め定められた防曇運転条件が成立したときに、前記フロントガラスにおける予め定められた領域に向けて空調風を吹き出す防曇運転を行う請求項１に記載の車両用防曇装置。
【請求項３】
ユーザによる前記防曇運転を行うための操作入力を検出したときに、前記防曇運転条件が成立したとする請求項２に記載の車両用防曇装置。
【請求項４】
前記車両の状態を取得する車両状態取得部と、
前記車両の状態に基づいて、前記フロントガラスに曇りが発生しているか否かを推定する推定部と、を備え、
前記推定部が、前記フロントガラスに曇りが発生していると推定したときに、前記防曇運転条件が成立したとする請求項２または請求項３に記載の車両用防曇装置。
【請求項５】
前記デフロスタ吹出口は複数備えられ、
前記空調制御部は、前記防曇運転を実行するときに、複数の前記デフロスタ吹出口から、前記フロントガラスの内面の同じ領域に向けて空調風を吹き出す請求項２ないし請求項４のいずれか１項に記載の車両用防曇装置。
【請求項６】
前記デフロスタ吹出口は、
前記車両の運転席側のフロントガラスに向けて空調風を吹き出す運転席側デフロスタ吹出口と、前記車両の助手席側のフロントガラスに向けて空調風を吹き出す助手席側デフロスタ吹出口と、を含み、
前記空調制御部は、前記防曇運転を実行するときに、前記運転席側デフロスタ吹出口および前記助手席側デフロスタ吹出口から、前記車両の運転席側のフロントガラスに向けて空調風を吹き出す請求項５に記載の車両用防曇装置。
【請求項７】
前記空調制御部は、予め定められた時間が経過後に、前記助手席側デフロスタ吹出口からの空調風の吹き出し先を、前記車両の助手席側のフロントガラスにする請求項６に記載の車両用防曇装置。
【請求項８】
前記デフロスタ吹出口は、
前記車両の運転席側のフロントガラスに向けて空調風を吹き出す運転席側デフロスタ吹出口と、前記車両の助手席側のフロントガラスに向けて空調風を吹き出す助手席側デフロスタ吹出口と、を含み、
前記空調制御部は、前記防曇運転を実行するときに、前記運転席側デフロスタ吹出口および前記助手席側デフロスタ吹出口から、それぞれ、前記車両の運転席側のフロントガラス側端領域および前記車両の助手席側のフロントガラス側端領域に向けて空調風を吹き出す請求項５ないし請求項７のいずれか１項に記載の車両用防曇装置。
【請求項９】
前記空調制御部は、前記フロントガラスの内面の空調風を吹き出す対象となる領域において、風向を該領域の上下方向に連続的に変化させる請求項２ないし請求項８のいずれか１項に記載の車両用防曇装置。
【発明の詳細な説明】
【技術分野】
【０００１】
本発明は、車両に設けられて窓ガラスの曇り除去、あるいは曇り防止を図る車両用防曇装置に関する。
【背景技術】
【０００２】
従来、デフロスタモードが選択されたときに車両窓ガラスの防曇性能を向上して窓ガラスの曇りを急速に除去するために、デフロスタモード時に強制的に外気導入モードを設定して内気よりも低湿度の外気を空調装置の空気通路に導入するとともに冷凍サイクルを運転して、この導入空気を冷凍サイクルの蒸発器により除湿し、この除湿した空調風をデフロスタ吹出口から車両窓ガラスの内面に向けて吹き出している。
【０００３】
また、乗員不在と判定された場合には、シート温度検出手段により検出された温度が目標シート表面温度に近づくように空調する乗員不在時空調を行う一方、車両のフロントウインドシールドの凍結および窓曇りのうちの少なくとも一方が検出された場合には、乗員不在時空調を禁止して、空調空気をフロントウインドシールドに向けて吹き出すデフロスタ吹出モードにより空調する防曇空調を行う車両用空調装置が考案されている（特許文献１参照）。
【０００４】
また、省動力重視モードのマニュアル指令信号が出ると、窓ガラスの曇りを判定したときのみ圧縮機を作動させて、窓ガラスの防曇運転を行い、圧縮機の駆動動力を効果的に低減できる車両用空調装置が考案されている（特許文献２参照）。
【先行技術文献】
【特許文献】
【０００５】
【特許文献１】特開２００４−０４２７０６号公報
【特許文献２】特開２００５−３０６０６３号公報
【発明の概要】
【発明が解決しようとする課題】
【０００６】
従来技術の構成では、デフロスタの吹出口がフロントガラスの下部にあり、送風された空気は、主にフロントガラスの下部に当たり、まず該下部の曇りが解消され、該下部のガラスの温度の上昇とともに、その周囲の領域（例えば、フロントガラス上部）の曇りが解消されていく。このため、フロントガラスの、運転者の視線正面の領域の曇りを解消するまでには時間がかかる。曇りの解消の時間を短縮するためには、ブロワの風量を大きくする必要があり、空調能力の高い装置を用いなければならず、コストが上昇する。
【０００７】
上記問題点を背景として、本発明の課題は、低コストで効率よくフロントガラスの曇りを解消することができる車両用防曇装置を提供することにある。
【課題を解決するための手段および発明の効果】
【０００８】
上記課題を解決するための車両用防曇装置は、車室内の空調を行うための空調ユニットと、空調ユニットの動作を制御する空調制御部と、を備え、空調ユニットは、車両のインストルメントパネルに、車両のフロントガラスに沿って配置され、フロントガラスの内面に向けて空調風を吹き出すデフロスタ吹出口を含み、デフロスタ吹出口には、風向を変えるためのブレードと、空調制御部により、ブレードを揺動させて風向を変化させる駆動機構と、を含むスイングレジスタが配置される。
【０００９】
本発明は、デフロスタ吹出口を固定ではなく、スイングレジスタを配して可動式にすることで、デフロスタ吹出口から吹き出された空調風を、フロントガラスの全面に当てることができる構造としたものである。上記構成によって、曇り取りの時間を短縮でき、またデフロスタの動作時間も短縮することができる。さらに、ブロワの風量を大きくする必要もなく、空調能力は従来のままでよいため、コストは上昇しない。
【図面の簡単な説明】
【００１０】
【図１】本発明の車両用防曇装置の構成を示す図。
【図２】車両前席の吹出口配置を示す図。
【図３】エアコン操作パネルの正面図。
【図４】スイングレジスタの構成例を示す図。
【図５】防曇制御処理を説明するフロー図。
【図６】防曇制御処理の別例を説明するフロー図。
【図７】運転席側に集中した防曇運転の状態を説明する図。
【図８】図７に続く、運転席側に集中した防曇運転の状態を説明する図。
【図９】運転席側および助手席側の個別の防曇運転の状態を説明する図。
【図１０】図９に続く、運転席側および助手席側の個別の防曇運転の状態を説明する図。
【図１１】側端領域の防曇運転の状態を説明する図。
【図１２】図１１に続く、側端領域の防曇運転の状態を説明する図。
【発明を実施するための形態】
【００１１】
以下、本発明の実施の形態について、図面を用いて説明する。図１に、本発明の車両用防曇装置１００の全体構成を示す。図２に、車両前席の吹出口配置（インストルメントパネル５０の正面図）を示す。図３に、エアコン操作パネル５１の正面図を示す。車両用防曇装置１００は、車室内を空調する空調ユニット１における各空調部（アクチュエータ）を、エアコンＥＣＵ１０によって制御する、いわゆるオートエアコンシステムである。
【００１２】
空調ユニット１は、車室内の運転席側（運転席後方の後部座席を含む）空調空間と、助手席側（助手席後方の後部座席を含む）空調空間との温度調節、および吹出モードの変更などを、互いに独立して行うことが可能である。
【００１３】
空調ユニット１は、車両の車室内前方に配置されたダクト２を備えている。このダクト２の上流側には、内外気切替ドア３、およびブロワ４が設けられている。内外気切替ドア３は、サーボモータ５などのアクチュエータによって駆動され、内気吸込口６と外気吸込口７との開度を変更する。
【００１４】
ブロワ４は、ブロワ駆動回路８によって制御されるブロワモータ９により回転駆動されて、ダクト２内において車室内に向かう空気流を発生させる遠心式送風機である。なお、ブロワ４は、後述する運転席側、助手席側の各吹出口から車室内の運転席側、助手席側空調空間に向けてそれぞれ吹き出される空調風の風量を変更する。
【００１５】
ダクト２の中央部には、ダクト２を通過する空気を冷却するエバポレータ（冷却用熱交換器）４１が設けられている。また、エバポレータ４１の下流側には、第１、第２空気通路１１、１２を通過する空気を、エンジンの冷却水（温水）と熱交換して加熱するヒータコア（加熱用熱交換器）４２が設けられている。
【００１６】
なお、第１、第２空気通路１１、１２は、仕切板１４により区画されている。また、例えば電力を用いて走行する車両に用いられた車両用防曇装置では、エバポレータやヒータコアをペルチェ素子に変更してもよい。ヒータコア４２の上流側には、車室内の運転席側空調空間と助手席側空調空間との温度調節を、互いに独立して行うための運転席側、助手席側エアミックスドア１５、１６が設けられている。
【００１７】
そして、運転席側、助手席側エアミックスドア１５、１６は、サーボモータ１７、１８などのアクチュエータにより駆動されており、後述する運転席側、助手席側の各吹出口から車室内の運転席側、助手席側空調空間に向けて、それぞれ吹き出される空調風の吹出温度を変更する。
【００１８】
ここで、エバポレータ４１は、冷凍サイクルの一構成部品である。冷凍サイクルは図示しないが、車両のエンジンあるいはモータを駆動源として冷媒を圧縮して吐出するコンプレッサ（冷媒圧縮機）と、このコンプレッサより吐出された冷媒を凝縮液化させるコンデンサ（冷媒凝縮器）と、このコンデンサより流入した液冷媒を気液分離するレシーバ（受液器）と、このレシーバより流入した液冷媒を断熱膨張させる膨張弁と、この膨張弁より流入した気液二相状態の冷媒を蒸発気化させる上記のエバポレータ（冷媒蒸発器）とから構成されている。
【００１９】
そして、第１空気通路１１の下流側には、運転席側デフロスタ吹出口２０、運転席側センタフェイス吹出口２１、運転席側サイドフェイス吹出口２２、および運転席側フット吹出口２３が、各吹出ダクトを介して連通している。また、第２空気通路１２の下流側には、助手席側デフロスタ吹出口３０、助手席側センタフェイス吹出口３１、助手席側サイドフェイス吹出口３２、および助手席側フット吹出口３３が、各吹出ダクトを介して連通している。
【００２０】
なお、運転席側および助手席側デフロスタ吹出口２０、３０は、フロントガラスＦＧへ空調風を吹き出す。運転席側および助手席側フェイス吹出口２１、２２、３１、３２は、それぞれ運転者、助手席乗員の頭胸部へ空調風を吹き出す。運転席側および助手席側フット吹出口２３、３３は、それぞれ運転者、助手席乗員の足元へ空調風を吹き出す。
【００２１】
そして、第１および第２空気通路１１、１２内には、車室内の運転席側と助手席側との吹出モードの設定を互いに独立して行うための、運転席側および助手席側デフロスタドア２４、３４、運転席側および助手席側フェイスドア２５、３５、運転席側および助手席側フットドア２６、３６が設けられている。そして、これらの運転席側および助手席側吹出口切替ドア２４〜２６、３４〜３６は、サーボモータ２８、２９、３８、３９などのアクチュエータにより駆動される。
【００２２】
エアコンＥＣＵ１０は、エンジンあるいはモータの始動および停止を司る始動スイッチが入れられた時に、車両に搭載されたバッテリー（図示せず）から電源が供給され、演算処理や制御処理を開始するように構成されている。エアコンＥＣＵ１０には、インストルメントパネル５０に一体的に設置されたエアコン操作パネル５１上の各種操作スイッチから、各スイッチ信号が入力されるように構成されている。なお、エアコンＥＣＵ１０が、本発明の空調制御部，推定部に相当する。
【００２３】
図３に示すように、エアコン操作パネル５１には、液晶ディスプレイ５２、内外気切替スイッチ５３、フロントデフロスタスイッチ５４、リヤデフロスタ（デフォッガ）スイッチ５５、デュアルスイッチ５６、吹出モード切替スイッチ５７、ブロワ風量切替スイッチ５８、エアコンスイッチ５９、オートスイッチ６０、オフスイッチ６１、運転席側、助手席側温度設定器６２、６３、燃費向上スイッチ６４などが設置されている。
【００２４】
液晶ディスプレイ５２には、運転席側、助手席側空調空間の設定温度を視覚表示する設定温度表示部（数字の部分）、吹出モードを視覚表示する吹出モード表示部（ピクトグラムの部分）、およびブロワ風量を視覚表示する風量表示部（ピクトグラムの部分）などが設けられている。なお、液晶ディスプレイ５２に外気温表示部、吸込モード表示部、時刻表示部などが設けられていてもよい。また、エアコン操作パネル５１上の各種の操作スイッチは、液晶ディスプレイ５２にタッチパネルとして設けられていてもよい。
【００２５】
上記のスイッチのうち、フロントデフロスタスイッチ５４は、フロントガラスＦＧの防曇能力を上げるために、吹出モードをデフロスタモードに設定するためのものである。デュアルスイッチ５６は、運転席側空調空間内の温度調節と助手席側空調空間内の温度調節とを、互いに独立して行う左右独立温度コントロールを指令するためのものである。なお、フロントデフロスタスイッチ５４が、本発明の車両状態取得部に相当する。
【００２６】
吹出モード切替スイッチ５７は、乗員の操作に応じて、吹出モードを、フェイスモード、バイレベル（Ｂ／Ｌ）モード、フットモード、フット／デフロスタモードのいずれかに設定ためのものである。エアコンスイッチ５９は、冷凍サイクルのコンプレッサの稼働、または停止を指令ためのものである。オートスイッチ６０は、後述の設定温度および各種センサの状態に基づいて、吹出モードを上述のいずれかのモードに自動設定する。
【００２７】
運転席側および助手席側温度設定器６２、６３は、運転席側空調空間内と助手席側空調空間内のそれぞれ温度を、所望の温度に設定するためのもので、アップスイッチ６２ａ、６３ａとダウンスイッチ６２ｂ、６３ｂよりなる。
【００２８】
燃費向上スイッチ６４は、冷凍サイクルのコンプレッサの稼働率を下げて、低燃費および省動力を考慮した経済的な空調制御を行うか否かを指令するエコノミースイッチである。
【００２９】
図１に戻り、エアコンＥＣＵ１０の内部には、演算処理や制御処理を行うＣＰＵ（中央演算装置）、ＲＯＭやＲＡＭなどのメモリ、およびＩ／Ｏポート（入力／出力回路）などの機能を含んで構成される周知のマイクロコンピュータ（マイコン、図示せず）が設けられている。そして、各種センサからのセンサ信号がＩ／Ｏポート、もしくはＡ／Ｄ変換回路によってＡ／Ｄ変換された後に、マイコンに入力されるように構成されている。
【００３０】
また、エアコンＥＣＵ１０には、車室内温度を検知する内気温センサ７１、車室外温度を検知する外気温センサ７２、および日射量を検出する日射センサ７３、エバポレータ４１を通過した直後の空気温度を検知するエバ後温度センサ７４、車両のエンジン冷却水温を検知する冷却水温センサ７５、車室内の相対湿度を検出する湿度センサ７６などが接続されている。
【００３１】
これらのうち内気温センサ７１、湿度センサ７６は、運転席近傍のインストルメントパネル５０の前面に形成された凹所内に収容されている。また、これらのセンサをフロントガラスＦＧの近傍に取り付けてもよい。さらに、これらのセンサ群を複数組設置してもよい。なお、内気温センサ７１、外気温センサ７２、湿度センサ７６が、本発明の車両状態取得部に相当し、フロントガラスＦＧの防曇のためのデフロスタ吹き出しの要否の判定に利用される。
【００３２】
運転席側および助手席側デフロスタ吹出口２０、３０には、空気吹出口に複数の横ブレードおよび縦ブレードを設け、これら横ブレードおよび縦ブレードを駆動モータによりそれぞれスイングさせて、空調風の風向を周期的に変えることができる運転席側および助手席側スイングレジスタ２０ａ、３０ａが用いられている。図４に、運転席側スイングレジスタ２０ａの、図２のＡ方向に沿った断面図を示す。助手席側スイングレジスタ３０ａも同様の構成である。
【００３３】
なお、インストルメントパネル５０上部に、車両の左右方向に略平行に配置されたブレードを横ブレードと称し、車両の前後方向に略平行に配置されたブレードを縦ブレードと称している。
【００３４】
運転席側スイングレジスタ２０ａは、助手席側デフロスタ吹出口２０に複数の横ブレード２０３と、複数の縦ブレード２０４が回動自在に支持されており、横ブレード同士および縦ブレード同士は、それぞれ連動して揺動できるようになっている。中央の横ブレード２０３ａには、左右に摺動可能なスライドノブ２０５が設けられており、該スライドノブ２０５の一端は縦ブレード２０４の一端に係合している。そして、該スライドノブ２０５を手動操作により横ブレード２０３の水平な軸回りに回動させることにより直接該横ブレード２０３を回動できるとともに、左右に摺動させ縦ブレード２０４を右または左に回動させて風向を調節することができる。
【００３５】
また、デフロスタ吹出口２０の下部には軸２０６に２枚の平歯車２０７，２０８および該２枚の平歯車を押圧するクラッチばね２０９よりなるクラッチ２１０が設けられている。そして該クラッチ２１０の一方の平歯車２０７は縦ブレード２０４の軸に設けられた扇形歯車２１１と噛み合い、他方の平歯車２０８は駆動モータ２１２の出力軸２１３（２１６は軸受け）に固定された扇形歯車２１４に噛み合って縦ブレード２０４をオートスイングおよび手動操作を可能としている。なお駆動モータ２１２はモータカバー２１５とともにデフロスタ吹出口２０の下部に取り付けられている。また、クラッチ２１０、扇形歯車２１１、扇形歯車２１４、駆動モータ２１２、モータカバー２１５を駆動機構２２０と総称する。
【００３６】
また、横ブレード２０３にも、縦ブレード２０４と同様に、上述のようなオートスイングを可能とする駆動機構２３０を有している。そして、横ブレード２０３を、前または後に回動させて風向を調節することができる。
【００３７】
なお、スイングレジスタの構成については、例えば、特開２００１−０３０７５０号公報に、その詳細が記載されている。
【００３８】
図５〜図１２を用いて、ＥＣＵ１０のマイクロコンピュータ（図示せず）が実行する防曇制御処理について説明する。なお、本処理は、ＲＯＭ（図示せず）に記憶された空調制御プログラムに含まれ、該プログラムの他の処理とともに、所定のタイミングで繰り返し実行される。
【００３９】
まず、車両状態を取得する（Ｓ１１）。車両状態は、以下のうちの少なくとも一つを用いる。
・内気温センサ７１が検知する内気温。
・外気温センサ７２が検知する車室外温度。
・湿度センサ７６が検知する車室内の相対湿度。
・吹出モード切替スイッチ５７の状態。
・オートスイッチ６０の状態。
・フロントデフロスタスイッチ５４の状態。
【００４０】
次に、フロントガラスＦＧの防曇運転を行う条件（防曇運転開始条件）が成立したか否かを判定する。防曇運転開始条件は、以下のうちの少なくとも一つを用いる。
・吹出モード切替スイッチ５７により、吹出モードがデフロスタモードに設定されているとき、防曇運転開始条件が成立したと判定。
・オートスイッチ６０がオン状態で、上述のセンサの検知結果から、フロントガラスＦＧに曇りが発生していると推定したとき、防曇運転開始条件が成立したと判定。例えば、内気温と車室外温度との差と車室内の相対湿度とから、曇りの発生を推定してもよいし、相対湿度のみから、曇りの発生を推定してもよい（例えば、特開２００４−２６８７９０号公報参照）。
・フロントデフロスタスイッチ５４がオン状態のとき、防曇運転開始条件が成立したと判定。フロントデフロスタスイッチ５４がオン状態、かつフロントガラスＦＧに曇りが発生していると推定したときのみ、防曇運転開始条件が成立したと判定してもよい。
【００４１】
なお、上述の構成が、空調制御部は、予め定められた防曇運転条件が成立したときに、フロントガラスにおける予め定められた領域に向けて空調風を吹き出す防曇運転を行うものに相当する。本構成によって、フロントガラスに曇りが発生していないときには防曇運転を実施しないので、単に車室内の空気を対流させたいときに、「デフロスタからの風が強過ぎる（特に運転席側）」、「デフロスタからの風が来ない（特に助手席側）」、といった不快感は生じない。
【００４２】
また、上述の吹出モード切替スイッチ５７あるいはフロントデフロスタスイッチ５４による防曇運転開始条件の判定方法が、ユーザによる防曇運転を行うための操作入力を検出したときに、防曇運転条件が成立したとするものに相当する。本構成によって、ユーザの操作を優先することができる。
【００４３】
また、上述のフロントガラスＦＧでの曇りの発生を推定する構成が、車両の状態を取得する車両状態取得部と、車両の状態に基づいて、フロントガラスに曇りが発生しているか否かを推定する推定部と、を備え、推定部が、フロントガラスに曇りが発生していると推定したときに、防曇運転条件が成立したとするものに相当する。本構成によって、ユーザが特別な操作を行うことなく防曇運転を行うことができる。
【００４４】
また、相対湿度から曇りの発生を推定する構成が、相対湿度車両状態取得部は、車室内の相対湿度を検知する相対湿度検知部を含み、推定部は、検知した相対湿度に基づいて、フロントガラスに曇りが発生しているか否かを推定するものに相当する。本構成により、複雑な曇り推定処理を行う必要がない。
【００４５】
防曇運転開始条件が成立しないと判定したとき（Ｓ１２：Ｎｏ）、本処理を終了する。一方、防曇運転開始条件が成立したと判定したとき（Ｓ１２：Ｙｅｓ）、空調風の風向がフロントガラスＦＧの運転席に対向する領域である運転席側領域Ｒ１（図２参照）を向くように、助手席側スイングレジスタ３０ａの縦ブレード（図示せず）を駆動する（Ｓ１３、図７参照）。
【００４６】
次に、運転席側および助手席側デフロスタ吹出口２０、３０から空調風を吹き出す。このとき、２つの吹出口からの空調風は、運転席側領域Ｒ１に向けて吹き出している。そして、運転席側および助手席側スイングレジスタ２０ａ、３０ａの横ブレード（２０３等）を、例えば所定周期で前後に回動させる。これにより、運転席側領域Ｒ１の上下方向の全域に空調風が吹き出される（Ｓ１４、図８参照）。
【００４７】
なお、上述のステップＳ１３、Ｓ１４の構成が、デフロスタ吹出口は複数備えられ、空調制御部は、防曇運転を実行するときに、複数のデフロスタ吹出口から、フロントガラスの内面の同じ領域に向けて空調風を吹き出すものに相当する。本構成によって、従来の構成よりも短時間で所定領域の曇り取りを行うことができる。
【００４８】
より詳しくは、デフロスタ吹出口は、車両の運転席側のフロントガラスに向けて空調風を吹き出す運転席側デフロスタ吹出口と、車両の助手席側のフロントガラスに向けて空調風を吹き出す助手席側デフロスタ吹出口と、を含み、空調制御部は、防曇運転を実行するときに、運転席側デフロスタ吹出口および助手席側デフロスタ吹出口から、車両の運転席側のフロントガラスに向けて空調風を吹き出すものに相当する。本構成によって、乗車直後は優先的に運転席側に集中して防曇運転を行うことで、運転席側フロントガラスの曇りを解消し、車外の情報を他の乗員に優先して必要とする運転者の視界を第一に確保することができる。
【００４９】
また、上述のステップＳ１４の、スイングレジスタの横ブレードをフロントガラスの上下方向に回動する構成が、空調制御部は、フロントガラスの内面の空調風を吹き出す対象となる領域において、風向を該領域の上下方向に連続的に変化させるものに相当する。本構成によって、従来のように、フロントガラスの所定領域の一部分のみに空調風が吹き出される構成とは異なり、フロントガラスの所定領域の全体に空調風が吹き出されるので、曇り取りに要する時間を短縮することができる。
【００５０】
次に、運転席側領域Ｒ１を集中して防曇運転を開始してから所定時間（例えば、３分）が経過したとき（Ｓ１５：Ｙｅｓ）、運転席側領域Ｒ１に向けていた空調風の風向がフロントガラスＦＧの助手席側に対向する領域である助手席側領域Ｒ２（図２参照）を向くように、助手席側スイングレジスタ３０ａの縦ブレード（図示せず）を駆動する（Ｓ１６、図９参照）。
【００５１】
これにより、運転席側および助手席側スイングレジスタ２０ａ、３０ａの横ブレードは前後への回動を継続しているので、運転席側デフロスタ吹出口２０は運転席側領域Ｒ１全体の曇り取りを行い、助手席側デフロスタ吹出口３０は助手席側領域Ｒ２全域の曇り取りを行うことができる（Ｓ１７、図１０参照）。
【００５２】
なお、上述のステップＳ１６の構成が、空調制御部は、予め定められた時間が経過後に、助手席側デフロスタ吹出口からの空調風の吹き出し先を、車両の助手席側のフロントガラスにするものに相当する。本構成によって、従来のデフロスタと同様の吹き出し形態であるが、スイングレジスタが動作しているので、従来の構成よりも短時間で曇り取りを行うことができる。
【００５３】
次に、運転席側領域Ｒ１および助手席側領域Ｒ２に対し、個別に防曇運転を開始してから所定時間が経過したとき（Ｓ１８：Ｙｅｓ）、運転席側領域Ｒ１に向けていた空調風の風向がフロントガラスＦＧの運転席側のＡピラー９１近傍の領域である運転席側側端領域Ｒ３（側端部と表記、図２参照）を向くように、運転席側スイングレジスタ２０ａの縦ブレード２０４を駆動する。同様に、助手席側領域Ｒ２に向けていた空調風の風向が、フロントガラスＦＧの助手席側のＡピラー９２近傍の領域である助手席側側端領域Ｒ４（図２参照）を向くように、助手席側スイングレジスタ３０ａの縦ブレード（図示せず）を駆動する（Ｓ１９、図１１参照）。
【００５４】
これにより、運転席側および助手席側スイングレジスタ２０ａ、３０ａの横ブレードは前後に回動を継続しているので、運転席側デフロスタ吹出口２０は側端領域Ｒ３全域の曇り取りを行い、助手席側デフロスタ吹出口３０は側端領域Ｒ４全域の曇り取りを行うことができる（Ｓ２０、図１２参照）。
【００５５】
なお、上述のステップＳ１９の構成が、デフロスタ吹出口は、車両の運転席側のフロントガラスに向けて空調風を吹き出す運転席側デフロスタ吹出口と、車両の助手席側のフロントガラスに向けて空調風を吹き出す助手席側デフロスタ吹出口と、を含み、空調制御部は、防曇運転を実行するときに、運転席側デフロスタ吹出口および助手席側デフロスタ吹出口から、それぞれ、車両の運転席側のフロントガラス側端領域および車両の助手席側のフロントガラス側端領域に向けて空調風を吹き出すものに相当する。本構成によって、従来は、なかなか解消できなかったフロントガラス側端領域の曇りも解消することができる。
【００５６】
次に、側端領域Ｒ３および側端領域Ｒ４を個別に防曇運転を開始してから所定時間経過したとき（Ｓ２１：Ｙｅｓ）、上述の車両情報を取得する（Ｓ２２）。そして、防曇運転を停止してもよい条件（防曇運転停止条件）が成立したか否かを判定する。すなわち、上述のように曇りの発生を推定し、曇りが発生していないと推定したとき、防曇運転停止条件が成立したと判定する。例えば、相対湿度が１００％を下回ったとき、曇りが発生していないと推定する。
【００５７】
防曇運転停止条件が成立したと判定したとき（Ｓ２３：Ｙｅｓ）、本処理を終了する。すなわち、車両用防曇装置１００の運転を停止する。あるいは、オートモードのときには、他のモードに移行する。
【００５８】
一方、防曇運転停止条件が成立しないと判定したとき（Ｓ２３：Ｎｏ）、ステップＳ１３に戻り、ステップＳ１３〜Ｓ２１の一連の防曇運転を繰り返す。
【００５９】
図６を用いて、防曇制御処理の別例を説明する。図５の防曇制御処理が、運転席側フロントガラスの集中防曇、運転席側および助手席側フロントガラスの防曇、および助手席側フロントガラス側端領域の防曇を順次実行するようになっているのに対し、本処理では、これらの防曇のうち、少なくとも一つを実行するようになっている。
【００６０】
まず、図５のステップＳ１１と同様に車両状態を取得し（Ｓ３１）、フロントガラスＦＧの防曇運転を行う条件（防曇運転開始条件）が成立したか否かを判定する（Ｓ３２）。防曇運転開始条件が成立しないと判定したとき（Ｓ３２：Ｎｏ）、本処理を終了する。一方、防曇運転開始条件が成立したと判定したとき（Ｓ３２：Ｙｅｓ）、フロントガラスＦＧのどの領域の防曇を行うかを特定する（Ｓ３３）。特定方法は、以下の少なくとも一つを用いる。
【００６１】
・所定時間内のフロントデフロスタスイッチ５４の操作回数に基づいて特定する。例えば、２秒間に１回操作されたときは運転席側領域Ｒ１、２回のときは運転席側領域Ｒ１および助手席側領域Ｒ２、３回のときは運転席側および助手席側の側端領域Ｒ３、Ｒ４、のように特定する。
・オートスイッチ６０がオン状態でデフロスタモードとなったとき、あるいはフロントデフロスタスイッチ５４が操作されたとき、車両状態（すなわち、推定した曇りの状態）に基づいて特定する。例えば、相対湿度が予め定められた第１閾値を上回るときには運転席側領域Ｒ１、予め定められた第２閾値を下回るときには運転席側および助手席側の側端領域Ｒ３、Ｒ４、第１閾値と第２閾値との間にあるときは運転席側領域Ｒ１および助手席領域側Ｒ２、のように特定する。
【００６２】
特定した領域が運転席側領域Ｒ１であるとき、運転席側フロントガラスの集中防曇を行う（Ｓ３４）。すなわち、図５のステップＳ１３〜Ｓ２３のうち、ステップＳ１６〜Ｓ２１を除いたものを実行する。
【００６３】
特定した領域が運転席側領域Ｒ１および助手席側領域Ｒ２であるとき、これらの領域の防曇を行う（Ｓ３５）。すなわち、図５のステップＳ１３〜Ｓ２３のうち、ステップＳ１３〜Ｓ１５およびＳ１９〜Ｓ２１を除いたものを実行する。
【００６４】
特定した領域が運転席側および助手席側の側端領域Ｒ３、Ｒ４であるとき、これらの領域の防曇を行う（Ｓ３６）。すなわち、図５のステップＳ１３〜Ｓ２３のうち、ステップＳ１３〜Ｓ１８を除いたものを実行する。
【００６５】
なお、領域を特定しなかったとき（Ｄｅｆａｕｌｔ）、運転席側領域Ｒ１および助手席側領域Ｒ２の防曇を行う（Ｓ３５）。防曇条件が成立しているので、何もせずに本処理を終了するのは好ましくなく、何らかの防曇運転を行うことが好ましい。このとき、通常のデフロスタモードで動作してもよい。しかし、本構成では、スイングレジスタが前後に回動しているので、通常のデフロスタモードよりも短時間で曇りを除去できる。
【００６６】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００６７】
１    空調ユニット
１０    エアコンＥＣＵ（空調制御部，推定部）
２０    運転席側デフロスタ吹出口（デフロスタ吹出口）
２０ａ  運転席側スイングレジスタ（スイングレジスタ）
３０    助手席側デフロスタ吹出口（デフロスタ吹出口）
３０ａ  助手席側スイングレジスタ（スイングレジスタ）
５０    インストルメントパネル
５４    フロントデフロスタスイッチ（車両状態取得部）
７１    内気温センサ（車両状態取得部）
７２    外気温センサ（車両状態取得部）
７６    湿度センサ（車両状態取得部）
１００    車両用防曇装置
２０３    横ブレード（ブレード）
２０４    縦ブレード（ブレード）
２２０，２３０    駆動機構
ＦＧ    フロントガラス
Ｒ１    運転席側領域
Ｒ２    助手席側領域
Ｒ３    運転席側側端領域（側端領域）
Ｒ４    助手席側側端領域（側端領域）
【図１】
2014069770.tif 000003
【図２】
2014069770.tif 000004
【図３】
2014069770.tif 000005
【図４】
2014069770.tif 000006
【図５】
2014069770.tif 000007
【図６】
2014069770.tif 000008
【図７】
2014069770.tif 000009
【図８】
2014069770.tif 000010
【図９】
2014069770.tif 000011
【図１０】
2014069770.tif 000012
【図１１】
2014069770.tif 000013
【図１２】
2014069770.tif 000014